【手続補正書】
【提出日】平成15年11月11日(2003.11.11)
【手続補正１】
【補正対象書類名】明細書
【補正対象項目名】発明の名称
【補正方法】変更
【補正の内容】
【発明の名称】顕微鏡用照明装置及びこれを具えた顕微鏡


【手続補正２】
【補正対象書類名】明細書
【補正対象項目名】特許請求の範囲
【補正方法】変更
【補正の内容】
【特許請求の範囲】
【請求項１】
ハウジングと、前記ハウジングの側面に設けられた操作つまみと、光路上に挿脱可能に配置され、光源からの光を遮断する遮光体と、この遮光体に挿脱力を与えるためのシャッタ操作つまみとを備えた顕微鏡用照明装置において、
前記シャッタ操作つまみは観察者側である前記ハウジングの前面に設けられているとともに、前記シャッタ操作つまみと前記遮光体とは機械的伝達手段を介して連結されていることを特徴とする顕微鏡用照明装置。
【請求項２】
前記顕微鏡用照明装置は落射照明装置であり、前記落射照明装置を顕微鏡に組み込んだとき前記落射照明装置は、接眼レンズを有する鏡筒と体物レンズとの間に設置され、前記シャッタ操作つまみは、前記鏡筒と前記体物レンズの間であり、かつ観察者側である前記ハウジングの前面に設けられることを特徴とする請求項１に記載の顕微鏡用照明装置。
【請求項３】
前記操作つまみは、絞り切り替え用の操作つまみを含むものであることを特徴とする請求項１または２に記載の顕微鏡用照明装置。
【請求項４】
接眼レンズと、
前記接眼レンズを有する鏡筒と、
前記鏡筒の下部に配置された体物レンズと、
前記鏡筒と前記体物レンズとの間に設置され、前記光源からの光を遮光する遮光体を内部に有し、顕微鏡に設置されたとき観察者から見て遠方である一端に光源が設置可能であり、観察者側である他端には前記光源からの光の光路上に前記遮光体を挿脱可能にするためのシャッタ操作つまみを有し、さらに前記シャッタ操作つまみと前記遮光体とを連結する機械的伝達手段を内部に有するハウジングを具えることを特徴とする落射照明装置を具えた顕微鏡。
【請求項５】
前記機械的伝達手段は、一端に前記遮光体、他端に前記シャッタ操作つまみが固設された棒状の連結部材であり、前記シャッタ操作つまみによって前記連結部材を長手方向を軸に回転させることにより、前記遮光体を光路上に挿脱させることを特徴とする請求項１から４のいずれかに記載の顕微鏡用照明装置または顕微鏡。
【手続補正３】
【補正対象書類名】明細書
【補正対象項目名】０００１
【補正方法】変更
【補正の内容】
【０００１】
【発明の属する技術分野】
本発明は、顕微鏡用照明装置及びこれを具えた顕微鏡に関する。


【手続補正４】
【補正対象書類名】明細書
【補正対象項目名】００１５
【補正方法】変更
【補正の内容】
【００１５】
【課題を解決するための手段】
本発明は第一に「ハウジングと、前記ハウジングの側面に設けられた操作つまみと、光路上に挿脱可能に配置され、光源からの光を遮光する遮光体と、この遮光体に挿脱力を与えるためのシャッタ操作つまみとを備えた顕微鏡用照明装置において、前記シャッタ操作つまみは観察者側である前記ハウジングの前面に設けられているとともに、前記シャッタ操作つまみと前記遮光体とは機械的伝達手段を介して連結されていることを特徴とする顕微鏡用照明装置（請求項１）」を提供する。
第二に、「前記顕微鏡用照明装置は落射照明装置であり、前記落射照明装置を顕微鏡に組み込んだとき前記落射照明装置は、接眼レンズを有する鏡筒と体物レンズとの間に設置され、前記シャッタ操作つまみは、前記鏡筒と前記体物レンズの間であり、かつ観察者側である前記ハウジングの前面に設けられることを特徴とする請求項１に記載の顕微鏡用照明装置（請求項２）」を提供する。
【手続補正５】
【補正対象書類名】明細書
【補正対象項目名】００１６
【補正方法】変更
【補正の内容】
【００１６】
第三に「前記操作つまみは、絞り切り替え用の操作つまみを含むものであることを特徴とする請求項１または２に記載の顕微鏡用照明装置（請求項３）」を提供する。
【手続補正６】
【補正対象書類名】明細書
【補正対象項目名】００１７
【補正方法】変更
【補正の内容】
【００１７】
第四に、「接眼レンズと、前記接眼レンズを有する鏡筒と、前記鏡筒の下部に配置された体物レンズと、前記鏡筒と前記体物レンズとの間に設置され、前記光源からの光を遮光する遮光体を内部に有し、顕微鏡に設置されたとき観察者から見て遠方である一端に光源が設置可能であり、観察者側である他端には前記光源からの光の光路上に前記遮光体を挿脱可能にするためのシャッタ操作つまみを有し、さらに前記シャッタ操作つまみと前記遮光体とを連結する機械的伝達手段を内部に有するハウジングを具えることを特徴とする落射照明装置を具えた顕微鏡（請求項４）」を提供する。
【手続補正７】
【補正対象書類名】明細書
【補正対象項目名】００１８
【補正方法】変更
【補正の内容】
【００１８】
第五に、「前記機械的伝達手段は、一端に前記遮光体、他端に前記シャッタ操作つまみが固設された棒状の連結部材であり、前記シャッタ操作つまみによって前記連結部材を長手方向を軸に回転させることにより、前記遮光体を光路上に挿脱させることを特徴とする請求項１から４のいずれかに記載の顕微鏡用照明装置または顕微鏡（請求項５）」を提供する。
【手続補正８】
【補正対象書類名】明細書
【補正対象項目名】００２１
【補正方法】変更
【補正の内容】
【００２１】
顕微鏡１は、アーム２と、このアーム２の水平部上に載置された落射照明装置３と、この照明装置３の上部に取り付けられ、接眼レンズ４を有する鏡筒５と、照明装置３の下面にアーム２を介して取り付けられた複数の対物レンズ６ａを有するレボルバ６と、アーム２の直立部に沿って上下動する、標本を載せるためのステージ７とを備える。


【手続補正９】
【補正対象書類名】明細書
【補正対象項目名】００３１
【補正方法】変更
【補正の内容】
【００３１】
したがって、シャッタ操作つまみ２２を回動させることで連結バー２３を中心として遮光板部２４を所定角度に亘って回動させて、遮光板部２４を光路Ｌ１に挿脱させることができる。


【手続補正１０】
【補正対象書類名】明細書
【補正対象項目名】００４２
【補正方法】変更
【補正の内容】
【００４２】
なお、この実施形態では機械的伝達手段として連結バー２３を用いたが、連結バー２３以外に、例えばリンク機構、ワイヤー及びリンク機構とワイヤーとの併用等を用いることもできる。


【手続補正１１】
【補正対象書類名】明細書
【補正対象項目名】００４３
【補正方法】変更
【補正の内容】
【００４３】
【発明の効果】
以上に説明したように請求項１及び２記載の発明の顕微鏡用照明装置によれば、光路を開閉する遮光体のシャッタ操作つまみは、観察者と対向するハウジングの前面に設けられているので、観察者は手動でシャッタ操作つまみを操作して光路の開閉を行うとき、操作し易い。


【手続補正１２】
【補正対象書類名】明細書
【補正対象項目名】００４４
【補正方法】変更
【補正の内容】
【００４４】
また、請求項３の照明装置では、シャッタ操作つまみをハウジングの前面に、視野絞り、開口絞りのスライダ等の操作部をハウジングの側面に配置したので、混同するおそれがなくなり、暗室で蛍光観察を行う場合でも、視野絞り等の操作部とシャッタ操作つまみとを容易に区別することができるようになり、誤操作がなくなる。
また、請求項４では、光路を開閉する遮光体のシャッタ操作つまみは、観察者と対向するハウジングの前面に設けられているので、観察者は手動でシャッタ操作つまみを操作して光路の開閉を行うとき、操作し易い顕微鏡が得られる。
【手続補正１３】
【補正対象書類名】明細書
【補正対象項目名】００４５
【補正方法】変更
【補正の内容】
【００４５】
請求項５記載の発明の顕微鏡用照明装置によれば、連結部材を設けるという簡単な構成によりシャッタ操作つまみと遮光体とを連動させて、遮光体を光路に挿脱させることができる。